【手続補正書】
【提出日】平成15年12月19日(2003.12.19)
【手続補正１】
【補正対象書類名】明細書
【補正対象項目名】発明の名称
【補正方法】変更
【補正の内容】
【発明の名称】コンピュータ装置、受付端末、コンピュータ読み取り可能な記録媒体及び予約処理方法
【手続補正２】
【補正対象書類名】明細書
【補正対象項目名】特許請求の範囲
【補正方法】変更
【補正の内容】
【特許請求の範囲】
【請求項１】
各種の役務の提供や各種の物品の販売で必要となる予約処理を実行するコンピュータ装置であって、
予約を要求する顧客が指定する会員カードの情報を入手する入手手段と、
上記顧客の要求に応答して、予約情報を割り当てる割当手段と、
上記入手手段の入手する会員カード情報と上記割当手段の割り当てる予約情報との対応関係を、その対応関係を管理するデータ管理手段に登録する登録手段と、
上記顧客からの代金の支払いに応答して、上記データ管理手段に登録される上記予約情報を確定させる確定手段とを備えることを、
特徴とするコンピュータ装置。
【請求項２】
請求項１記載のコンピュータ装置において、
ネットワークを介して接続される端末に対して、予約を要求した顧客が分かる形で、確定前の予約情報及び／又は確定後の予約情報を掲示する掲示手段を備えることを、
特徴とするコンピュータ装置。
【請求項３】
役務の提供や物品の販売に対して設定された予約情報の受付処理を実行する受付端末であって、
予約情報の割り当てにあたって指定された会員カードを読み取る読取手段と、
予約情報とその予約情報の割り当てにあたって指定された会員カードの情報との対応関係を管理するデータ管理手段の管理データに従って、上記読取手段の読み取る会員カードに対応付けられる有効な予約情報が存在するのか否かをチェックするチェック手段とを備えることを、
特徴とする受付端末。
【請求項４】
各種の役務の提供や各種の物品の販売で必要となる予約処理を実行するコンピュータ装置の実現に用いられるプログラムが記録されるコンピュータ読み取り可能な記録媒体であって、
予約を要求する顧客が指定する会員カードの情報を入手する入手処理と、
上記顧客の要求に応答して、予約情報を割り当てる割当処理と、
上記入手処理で入手する会員カード情報と上記割当処理で割り当てる予約情報との対応関係を、その対応関係を管理するデータ管理手段に登録する登録処理と、
上記顧客からの代金の支払いに応答して、上記データ管理手段に登録される上記予約情報を確定させる確定処理とをコンピュータに実行させるプログラムが記録されることを、
特徴とするコンピュータ読み取り可能な記録媒体。
【請求項５】
役務の提供や物品の販売に対して設定された予約情報の受付処理を実行する受付端末の実現に用いられるプログラムが記録されるコンピュータ読み取り可能な記録媒体であって、
予約情報の割り当てにあたって指定された会員カードを読み取る読取処理と、
予約情報とその予約情報の割り当てにあたって指定された会員カードの情報との対応関係を管理するデータ管理手段の管理データに従って、上記読取処理で読み取る会員カードに対応付けられる有効な予約情報が存在するのか否かをチェックするチェック処理とをコンピュータに実行させるプログラムが記録されることを、
特徴とするコンピュータ読み取り可能な記録媒体。
【請求項６】
各種の役務の提供や各種の物品の販売で必要となる予約処理を実行するコンピュータ装置が、
予約を要求する顧客が指定する会員カードの情報を入手する入手ステップと、
上記顧客の要求に応答して、予約情報を割り当てる割当ステップと、
上記入手ステップで入手した会員カード情報と上記割当ステップで割り当てた予約情報との対応関係を、その対応関係を管理するデータ管理手段に登録する登録ステップと、
上記顧客からの代金の支払いに応答して、上記データ管理手段に登録される上記予約情報を確定させる確定ステップとを実行することを、
特徴とする予約処理方法。
【請求項７】
請求項６記載の予約処理方法において、
ネットワークを介して接続される端末に対して、予約を要求した顧客が分かる形で、確定前の予約情報及び／又は確定後の予約情報を掲示する掲示ステップを備えることを、
特徴とする予約処理方法。
【手続補正３】
【補正対象書類名】明細書
【補正対象項目名】０００１
【補正方法】変更
【補正の内容】
【０００１】
【発明の属する技術分野】
本発明は、顧客に対して特別な装置や煩雑な手続きを要求することなく、各種の役務の提供や各種の物品の販売で必要となる予約処理を実行できるようにするコンピュータ装置と、その際に行う入場改札や物品受け渡しなどの受付処理を実行できようにする受付端末と、そのコンピュータ装置の実現に用いられるプログラムが記録されるコンピュータ読み取り可能な記録媒体と、その受付端末の実現に用いられるプログラムが記録されるコンピュータ読み取り可能な記録媒体と、そのコンピュータ装置により実現される予約処理方法とに関する。


【手続補正４】
【補正対象書類名】明細書
【補正対象項目名】００１１
【補正方法】変更
【補正の内容】
【００１１】
本発明はかかる事情に鑑みてなされたものであって、顧客に対して特別な装置や煩雑な手続きを要求することなく、各種の役務の提供や各種の物品の販売で必要となる予約処理を実行できるようにする新たなコンピュータ装置の提供と、その際に行う入場改札や物品受け渡しなどの受付処理を実行できるようにする新たな受付端末の提供と、そのコンピュータ装置の実現に用いられるプログラムが記録される新たなコンピュータ読み取り可能な記録媒体の提供と、その受付端末の実現に用いられるプログラムが記録される新たなコンピュータ読み取り可能な記録媒体の提供と、そのコンピュータ装置により実現される新たな予約処理方法の提供とを目的とする。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】変更
【補正の内容】
【００２７】
ここで、本発明のコンピュータ装置の持つ機能はプログラムで実現されるものであり、このプログラムは、フロッピィディスクなどに記録されたり、サーバなどのディスクなどに記録され、それらから本発明のコンピュータ装置にインストールされてメモリ上で動作することで、本発明を実現することになる。


【手続補正１２】
【補正対象書類名】明細書
【補正対象項目名】００２８
【補正方法】変更
【補正の内容】
【００２８】
また、本発明の受付端末の持つ機能はプログラムで実現されるものであり、このプログラムは、フロッピィディスクなどに記録されたり、サーバなどのディスクなどに記録され、それらから本発明の受付端末にインストールされてメモリ上で動作することで、本発明を実現することになる。


【手続補正１３】
【補正対象書類名】明細書
【補正対象項目名】００９４
【補正方法】削除
【補正の内容】